(57)【要約】      （修正有）【課題】シュレッダー装置における細断対象物の入れ込み開口を変更することなく、この入れ込み開口の入り口部に手指などが触れたときに、細断手段の動作を確実に停止させる。【解決手段】シュレッダー装置における入れ込み開口１２の長さ方向に亘る開口縁１２ｄの一方の側方には、この入れ込み開口１２の全長に亘る長さを持ったボタン体１６が備えられている。ボタン体１６は、このボタン体１６の長さ方向に亘る一方縁１６ａを前記入れ込み開口１２の開口縁１２ｄの上方に位置させるリフト位置から下降位置に亘る回動可能に備え付けられていると共に、このボタン体１６を前記下降位置への移動を許容させた状態でリフト位置に位置づける支持手段１７を有しており、ボタン体１６の下降位置への移動により細断手段の動作が停止されるようにしてある。【選択図】図３
2008264609.tif 000002
【特許請求の範囲】
【請求項１】
紙などの細断対象物の細長い入れ込み開口を備え、この入れ込み開口から入れ込まれる細断対象物に細断を施す電動モータにより動作される細断手段を備えた細断機構を内蔵し、
この細断機構の下方に細断機構において細断されて下方に送り出される細断物の収容部を有するシュレッダー装置であって、
前記入れ込み開口の長さ方向に亘る開口縁の少なくとも一方の側方には、この入れ込み開口の全長に亘る長さを持ったボタン体が備えられており、
このボタン体は、このボタン体の長さ方向に亘る一方縁を前記入れ込み開口の開口縁の上方に位置させるリフト位置から下降位置に亘る回動可能に備え付けられていると共に、
このボタン体を前記下降位置への移動を許容させた状態でリフト位置に位置づける支持手段を有しており、
ボタン体の下降位置への移動により細断手段の動作が停止されるようにしてあることを特徴とするシュレッダー装置。
【請求項２】
入れ込み開口の長さ方向に直交する向きにおける断面をすり鉢状とし且つこの入れ込み開口を凹所底に位置させた凹所を備えていると共に、この凹所の斜面がボタン体の上面によって構成されていることを特徴とする請求項１記載のシュレッダー装置。
【請求項３】
ボタン体は、入れ込み開口の長さ方向に亘る開口縁の一方の側方にのみ備えられていることを特徴とする請求項２記載のシュレッダー装置。
【請求項４】
ボタン体の全部又は一部が透明又は透光性を備えていると共に、ボタン体の裏側にこの透明又は透光性を備えた箇所を通じて視認可能な発光手段を配しており、ボタン体の下降位置への移動により細断手段の動作が停止されたときに、この発光手段を発光させるようにしてなることを特徴とする請求項１〜請求項３のいずれか１項に記載のシュレッダー装置。
【発明の詳細な説明】
【技術分野】
【０００１】
この発明は、モーターによって動作される細断手段を備えた細断機構を有し、外部からこの細断機構に送り込まれた紙などの細断対象物を細かく切り刻んだ細断物とするシュレッダー装置の改良に関する。
【背景技術】
【０００２】
カッタ要素に細断対象物を送り込む開口部を構成する一対の壁が押されたとき、機械的スイッチを動かし、このカッタ要素の駆動を停止させるようにしたものがある。（特許文献１参照）
【０００３】
しかし、かかる開口部を構成する一対の壁自体を移動させて機械的スイッチを動かすことは、第一に構造の複雑化を招き、第二に細断対象物以外が開口部に入り込まないように開口部を強固に構成させ難くする。
【特許文献１】特開２００６−７５８３１号公報（図１０、図１１、段落番号００４６〜００５１）
【発明の開示】
【発明が解決しようとする課題】
【０００４】
この発明が解決しようとする主たる問題点は、この種のシュレッダー装置において、細断対象物の入れ込み開口を変更することなく、この入れ込み開口の入り口部に手指などが触れたときに、細断手段の動作を確実に停止させるようにする点にある。
【課題を解決するための手段】
【０００５】
前記課題を達成するために、この発明にあっては、シュレッダー装置を、以下の（１）〜（６）構成を備えたものとした。
（１）紙などの細断対象物の細長い入れ込み開口を備え、この入れ込み開口から入れ込まれる細断対象物に細断を施す電動モータにより動作される細断手段を備えた細断機構を内蔵し、
（２）この細断機構の下方に細断機構において細断されて下方に送り出される細断物の収容部を有するシュレッダー装置であって、
（３）前記入れ込み開口の長さ方向に亘る開口縁の少なくとも一方の側方には、この入れ込み開口の全長に亘る長さを持ったボタン体が備えられており、
（４）このボタン体は、このボタン体の長さ方向に亘る一方縁を前記入れ込み開口の開口縁の上方に位置させるリフト位置から下降位置に亘る回動可能に備え付けられていると共に、
（５）このボタン体を前記下降位置への移動を許容させた状態でリフト位置に位置づける支持手段を有しており、
（６）ボタン体の下降位置への移動により細断手段の動作が停止されるようにしてある。
【０００６】
前記ボタン体は入れ込み開口の入り口部においてその全長に亘って備えられていることから、細断手段が動作しているときにはこの入れ込み開口の長さ方向に亘るどの位置においてもその入り口部に手指などを触れさせてしまった場合、このボタン体の下降位置への移動によりこの細断手段の動作を停止させることができる。これに気づいて手指などを前記入り口部から離せばボタン体はリフト位置に復帰され細断手段の動作を再開させることができる。
【０００７】
前記入れ込み開口の長さ方向に直交する向きにおける断面をすり鉢状とし且つこの入れ込み開口を凹所底に位置させた凹所を備えていると共に、この凹所の斜面をボタン体の上面によって構成させておくこともある。
【０００８】
この場合さらに、ボタン体を、入れ込み開口の長さ方向に亘る開口縁の一方の側方にのみ備えさせておくこともある。
【０００９】
このようにした場合、かかる凹所内に手指などを入り込ませてしまった場合にのみ、ボタン体を後述する下降位置に移動させて細断機構の動作が停止されるようにすることができ、また、ボタン体をシュレッダー装置の外観上目立ちすぎないようにできる。また、かかる凹所における入れ込み開口を挟んだ他方側にある斜面を利用して細断対象物をボタン体に触れさせることなく、入れ込み開口に送り込むことができる。
【００１０】
前記ボタン体の全部又は一部が透明又は透光性を備えるようにすると共に、ボタン体の裏側にこの透明又は透光性を備えた箇所を通じて視認可能な発光手段を配して、ボタン体の下降位置への移動により細断手段の動作が停止されたときに、この発光手段を発光させるようにしておくこともある。
【００１１】
このようにした場合、入れ込み開口の入り口部に手指などが触れたことをボタン体をイルミネートすることで視覚的にも知らせることができる。
【発明の効果】
【００１２】
この発明にかかるシュレッダー装置によれば、簡素な構造をもって、細断対象物の入れ込み開口の長さ方向に亘るいずれの位置においても入れ込み開口の入り口部に手指などが触れたときに、細断手段の動作を確実に停止させることができると共に、細断対象物以外が入り込むことがないよう入れ込み開口をできるだけ強固に構成させることができる。
【発明を実施するための最良の形態】
【００１３】
以下、図１〜図４に基づいて、この発明を実施するための最良の形態について説明する。
【００１４】
なお、ここで図１は、実施の形態にかかるシュレッダー装置の全体構成を理解しやすいように、これを断面にして、図２は、その入れ込み開口１２の入り口部１２ａの構成を理解しやすいようにこの箇所を斜視の状態として、図３および図４は、入れ込み開口１２の設けられた箇所を断面にして、それぞれ示している。
【００１５】
この実施の形態にかかるシュレッダー装置は、図示しない電動モーターによって駆動される細断機構１４を有し、外部からこの細断機構１４に送り込まれた紙などの細断対象物を細かく切り刻んだ細断物とするものである。
【００１６】
かかるシュレッダー装置は、上面開口２０のロアボックス２と、このロアボックス２の開口２０に下部１０を嵌め入れるようにしてこのロアボックス２に組み合わされ支持されるアッパーケーシング１とを備えている。
【００１７】
アッパーケーシング１の上面１１には、紙などの細断対象物の細長い入れ込み開口１２が備えられている。図示の例では、かかる入れ込み開口１２は、アッパーケーシング１の内部において、このアッパーケーシング１の上面部に板上部を一体に連接させて垂直方向に板面を配する左右一対の案内板１２ｂ、１２ｂの間に形成されている。一対の案内板１２ｂ、１２ｂの間には３．５ｍｍ前後の隙間１２ｃが形成され、この隙間１２ｃが入れ込み開口１２の幅となる。アッパーケーシング１の上面部には、入れ込み開口１２の長さ方向に亘って、この入れ込み開口１２を凹所底１３ａに位置させる凹所１３が形成されている。かかる凹所１３は、入れ込み開口１２の長さ方向に直交する向きの断面において、緩やかなすり鉢状をなすように構成されている。図示の例では、かかる凹所１３における入れ込み開口１２を挟んだ一方側にある斜面１３ｂが、後述するボタン体１６の上面によって構成されている。これにより図示の例では、かかる凹所１３内に手指ｆなどを入り込ませてしまった場合にのみ、ボタン体１６を後述する下降位置に移動させて細断機構１４の動作が停止されるようにすることができ、また、ボタン体１６をシュレッダー装置の外観上目立ちすぎないようにすることができる。また、かかる凹所１３における入れ込み開口１２を挟んだ他方側にある斜面１３ｃを利用して細断対象物をボタン体１６に触れさせることなく、入れ込み開口１２に送り込むことができる。
【００１８】
アッパーケーシング１の内部であって、入れ込み開口１２の下方には、この入れ込み開口１２から入れ込まれる細断対象物に細断を施す細断機構１４が配されている。図示の例では、かかる細断機構１４は細断手段１４ａとしての左右一対の軸状回転カッター体を備えてなる。各軸状回転カッター体は主軸１４ｂの軸線方向に隣り合う細断刃体１４ｃとの間に間隔を開けて複数の細断刃体１４ｃ、１４ｃ…を設けることにより構成され、両軸状回転カッター体の向き合う側において、一方の軸状回転カッター体の細断刃体１４ｃが他方の軸状回転カッター体の隣り合う細断刃体１４ｃ、１４ｃの間に入り込むようにして備えられる。そして、図示しないモーターの駆動により入れ込み開口１２を通じて上方から両軸状回転カッター体間に送り込まれる細断対象物を細断して下方に送り出すように、両軸状回転カッター体は回転されるようになっている。
【００１９】
アッパーケーシング１の下部であって前記裁断機構を構成する軸状回転カッター体の下方には、細断物の送り出し口１５が形成されている。そして、この送り出し口１５から下方に送り出される細断物がロアボックス２内を収容部２１としてロアボックス２内にためられるようになっている。図示の例では、ロアボックス２はアウターボックス２２とダストボックス２３とを組み合わせることで構成されている。アウターボックス２２は底部２２ａと左右側部２２ｂ、２２ｂの後側部２２ｃとを備え前部を開放させている。ダストボックス２３は上面開口２３ａの箱状をなしアウターボックス２２の開放された前部からこのアウターボックス２２内に入れ込み納められている。前記のように送り出し口１５から落下される細断物はダストボックス２３にためられ、このダストボックス２３をアウターボックス２２から抜き出すことでためられた細断物の廃棄をなせるようにしてある。
【００２０】
また、かかるシュレッダー装置は、前記入れ込み開口１２の長さ方向に亘る開口縁１２ｄの少なくとも一方の側方に、この入れ込み開口１２の全長に亘る長さを持ったボタン体１６を備えている。
【００２１】
このボタン体１６は、このボタン体１６の長さ方向に亘る一方縁１６ａを前記入れ込み開口１２の開口縁１２ｄの上方に位置させるリフト位置（図３の位置）から下降位置（図４の位置）に亘る回動可能に備え付けられていると共に、
このボタン体１６を前記下降位置への移動を許容させた状態でリフト位置に位置づける支持手段１７を有しており、
ボタン体１６の下降位置への移動により裁断機構を構成する細断手段１４ａを動作させるモータの図示しない駆動回路が開成されるようにしてある。
【００２２】
図示の例では、ボタン体１６は、入れ込み開口１２の全長と略同じ長さを備えると共に、前記凹所１３の幅の約半分の幅を備えた板状をなすように構成されている。図示の例では、かかるボタン体１６の長さ方向に亘る一方縁１６ａが入れ込み開口１２の一方の開口縁１２ｄの略直上に位置されるようになっている。図示の例では、かかるボタン体１６は、その長さ方向に亘る他方縁１６ｂ側において、アッパーケーシング１に回動可能に組み付けられている。かかるボタン体１６の回動軸線ｘは、入れ込み開口１２の長さ方向に亘る一方の開口縁１２ｄに平行をなすようになっている。図示の例では、ボタン体１６の両端に形成された軸突部１６ｃをアッパーケーシング１に形成させた軸穴１６ｅに軸支させることで、ボタン体１６は前記回動可能にこのアッパーケーシング１に回動可能に組み付けられている。
【００２３】
図示の例では、ボタン体１６の裏面側には、バネにより突出位置に位置づけられる可動部１８ａを備えこのバネの付勢に抗して可動部１８ａを押し込むことで図示しない可動接点を図示しない固定接点に接続させるスイッチ１８が配されている。そして、図示の例では、このスイッチ１８の固定接点に可動接点が接続されたときに前記駆動回路が開成（ＯＦＦ）されるようになっている。ボタン体１６の裏面部にはかかるスイッチ１８の可動部１８ａに上方から接する突部１６ｄが形成されている。そして、このスイッチ１８の可動部１８ａによってボタン体１６は前記リフト位置に位置づけられ、このスイッチ１８を構成するバネの付勢に抗してボタン体１６が下降位置に押し込まれたとき前記駆動回路が開成されるようになっている。すなわち、図示の例では、かかるスイッチ１８が前記支持手段１７としても機能するようになっている。かかる支持手段１７の支持力は、入れ込み開口１２に同時に送り込み可能な枚数の紙などの細断対象物がボタン体１６に上方から接してもこのボタン体１６を下降位置に移動させない大きさに設定される。これに図示の例とは別に、ボタン体１６を支持するバネなどの弾性部材をスイッチ１８とは別個に設けてボタン体１６を前記下降位置への移動を許容させた状態でリフト位置に位置づけるようにしてあっても良い。かかるスイッチ１８としては、例えば、タクトスイッチやマイクロスイッチなどを利用することができる。
【００２４】
前記駆動回路のメイン電源をＯＮにした状態から、入れ込み開口１２に細断対象物を入れ込むと、図示しないセンサーがこれを感知し、前記モーターが駆動され細断機構１４を構成する細断手段１４ａが動作される。
【００２５】
前記ボタン体１６は入れ込み開口１２の入り口部１２ａにおいてその全長に亘って備えられていることから、細断手段１４ａが動作しているときにはこの入れ込み開口１２の長さ方向に亘るどの位置においてもその入り口部１２ａに手指ｆなどを触れさせてしまった場合、このボタン体１６の下降位置への移動によりモーターの駆動回路を開成させてこの細断手段１４ａの動作を停止させることができる。これに気づいて手指ｆなどを前記入り口部１２ａから離せばボタン体１６はリフト位置に復帰されモーターの駆動回路を閉成させて細断手段１４ａの動作を再開させることができる。この場合、一旦駆動回路のメイン電源をＯＦＦにした後、再度ＯＮにしなければモーターの駆動が開始しないように制御するようにしてあっても良い。この実施の形態にかかるシュレッダー装置によれば、ボタン体１６とその下降位置への移動により前記モーターの駆動回路を開成させるこの駆動回路の一部をなすスイッチ１８との２パーツによって、入れ込み開口１２の入り口部１２ａへの手指ｆなどの接触があったときに細断手段１４ａの動作を確実に停止させることができる。
【００２６】
ボタン体１６は、入れ込み開口１２の長さ方向に亘る開口縁１２ｄの両側にそれぞれ備えさせるようにしてあっても良い。また、ボタン体１６を手指ｆなどで下降位置に押し込んだときに、前記細断手段１４ａの動作を停止させると共に、ブザーにより発声させて入れ込み開口１２の入り口部１２ａに手指ｆなどが触れたことを知せるようにしてあっても良い。
【００２７】
また、この実施の形態にあっては、ボタン体１６の全部が透明又は透光性を備えていると共に、ボタン体１６の裏側にボタン体１６を通じて視認可能な発光手段１９が配されており、ボタン体１６の下降位置への移動によりモーターの駆動回路が開成されたときにこの発光手段１９に通電をして発光させるようにしてある。
【００２８】
これによりこの実施の形態にあっては、入れ込み開口１２の入り口部１２ａに手指ｆなどが触れたことをボタン体１６をイルミネートすることで視覚的にも知らせることができるようになっている。
【００２９】
かかる発光手段としてはＬＥＤや電球などを用いることができる。また、通常時は例えば青く発光する図示しない通常時発光手段がボタン体１６をイルミネートし、入れ込み開口１２の入り口部１２ａに手指ｆなどが触れたときは発光手段１９を例えば赤く発光させてボタン体１６をイルミネートさせるようにして、通常時との差を明確にさせるようにしても良い。
【００３０】
また、ボタン体１６の一部に透明又は透光性を備えさせ、この透明又は透光性を備えさせた箇所の裏側にボタン体１６を通じて視認可能な発光手段１９を配させるようにしておくこともできる。
【図面の簡単な説明】
【００３１】
【図１】シュレッダー装置の断面構成図
【図２】同要部斜視構成図
【図３】同要部断面構成図
【図４】同要部断面構成図
【符号の説明】
【００３２】
１２  入れ込み開口
１２ｄ  開口縁
１４  細断機構
１４ａ  細断手段
１６  ボタン体
１６ａ  一方縁
１７  支持手段
【図１】
2008264609.tif 000003
【図２】
2008264609.tif 000004
【図３】
2008264609.tif 000005
【図４】
2008264609.tif 000006